(57)【特許請求の範囲】
【請求項１】
始動口への玉の入賞に応じて抽選処理を行う抽選手段と、
前記抽選処理の結果に応じて大当たり状態を発生する大当たり状態発生手段と、
前記大当たり状態の終了後に遊技者にとって有利な第１特定状態を発生することが可能な第１特定状態発生手段と、
通常状態において所定の条件が満たされた場合に前記第１特定状態とは異なる第２特定状態を発生することが可能な第２特定状態発生手段と、
前記大当たり状態である場合に第１信号を、前記大当たり状態である場合、前記第１特定状態である場合、及び前記第２特定状態である場合に第２信号を出力する信号出力手段と、を有するパチンコ遊技機の遊技情報を管理する遊技場用管理装置であって、
前記第１信号の入力開始に応じて大当たり状態の開始を判定する大当たり状態判定手段と、
前記第１信号の入力が終了した時点で前記第２信号を入力している場合に、前記第１特定状態の開始を判定する一方、通常状態で前記第２信号を入力した場合には、前記第１特定状態の開始と判定せず通常状態で発生した前記第２特定状態であると判定し、当該第２信号の入力が終了すると通常状態であると判定する特定状態判定手段と、
前記第１特定状態の遊技情報を管理する管理手段と、
を備えたことを特徴とする遊技場用管理装置。
【請求項２】
前記パチンコ遊技機が有する前記信号出力手段は、前記抽選処理の結果が所定の抽選処理結果である場合に前記所定の条件が満たされたこととして前記第２信号を出力することを特徴とする請求項１記載の遊技場用管理装置。
【請求項３】
前記特定状態判定手段は、電源投入時に前記第２信号を入力している場合に、前記特定状態であることを判定することを特徴とする請求項１又は２記載の遊技場用管理装置。
【発明の詳細な説明】
【技術分野】
【０００１】
本発明は、大当たり状態である場合に第１信号を、大当たり状態である場合及び特定状態である場合並びに通常状態において所定の条件が満たされた場合に第２信号を出力する構成の遊技機の遊技情報を管理する遊技場用管理装置に関する。
【背景技術】
【０００２】
従来の遊技場用管理装置では、大当たりの当選確率が高い確変状態を呈する遊技機について、通常状態、大当たり状態、確変状態に区分して遊技情報を管理している（特許文献１参照）。確変状態を呈する遊技機は大当たり状態中に第１信号を出力し、大当たり状態と確変状態中に第２信号を出力するのが一般的であるため、遊技場用管理装置は、第１信号を入力している状態を大当たり状態と判定し、第１信号を入力せずに第２信号のみを入力している状態を確変状態と判定している。
【先行技術文献】
【特許文献】
【０００３】
【特許文献１】特開平０６−００７５２２号公報
【発明の概要】
【発明が解決しようとする課題】
【０００４】
ところで、最近では、大当たり状態中に第１信号を出力し、大当たり状態と小当たり状態と確変状態中に第２信号を出力する遊技機が市場に出回っている。
しかしながら、このような機種に対して前述した遊技機と同じように確変状態を判定すると、確変状態中のみでなく小当たり状態中も確変状態として判定してしまい、遊技状態毎の遊技情報を正しく管理できないことが問題となる。
【０００５】
本発明は上記事情に鑑みてなされたもので、その目的は、大当たり状態である場合に第１信号を、大当たり状態である場合及び特定状態である場合並びに通常状態において所定の条件が満たされた場合に第２信号を出力する構成の遊技機の遊技状態を正確に判定し、遊技状態毎の遊技情報を正しく管理することが可能な遊技場用管理装置を提供することにある。
【課題を解決するための手段】
【０００６】
本発明は、始動口への玉の入賞に応じて抽選処理を行う抽選手段と、前記抽選処理の結果に応じて大当たり状態を発生する大当たり状態発生手段と、前記大当たり状態の終了後に遊技者にとって有利な第１特定状態を発生することが可能な第１特定状態発生手段と、通常状態において所定の条件が満たされた場合に前記第１特定状態とは異なる第２特定状態を発生することが可能な第２特定状態発生手段と、前記大当たり状態である場合に第１信号を、前記大当たり状態である場合、前記第１特定状態である場合、及び前記第２特定状態である場合に第２信号を出力する信号出力手段と、を有するパチンコ遊技機の遊技情報を管理する遊技場用管理装置であって、
前記第１信号の入力開始に応じて大当たり状態の開始を判定する大当たり状態判定手段と、前記第１信号の入力が終了した時点で前記第２信号を入力している場合に、前記第１特定状態の開始を判定する一方、通常状態で前記第２信号を入力した場合には、前記第１特定状態の開始と判定せず通常状態で発生した前記第２特定状態であると判定し、当該第２信号の入力が終了すると通常状態であると判定する特定状態判定手段と、前記第１特定状態の遊技情報を管理する管理手段と、を備えたものである（請求項１）。
【０００７】
請求項１記載の遊技場用管理装置において、
前記パチンコ遊技機が有する前記信号出力手段は、前記抽選処理の結果が所定の抽選処理結果である場合に前記所定の条件が満たされたこととして前記第２信号を出力するようにしてもよい（請求項２）。
請求項１又は２記載の遊技場用管理装置において、
前記特定状態判定手段は、電源投入時に前記第２信号を入力している場合に、前記特定状態であることを判定するようにしてもよい（請求項３）。
【発明の効果】
【０００８】
請求項１の発明によれば、第１信号の入力が終了した時点で第２信号を入力している場合に第１特定状態であると判定するようにしたので、第１特定状態の遊技情報を正確に管理することができる。
請求項２の発明によれば、パチンコ遊技機が、抽選処理の結果が所定の抽選処理結果である場合に第２信号を出力する構成の場合に適用することができる。
請求項３の発明によれば、パチンコ遊技機において特定状態が継続している状態で閉店を迎えた場合や電源が一時的に断たれた場合であっても、電源復帰後に特定状態として継続して判定することができる。
【図面の簡単な説明】
【０００９】
【図１】本発明の一実施形態におけるシステムの全体構成を概略的に示す図
【図２】信号検知設定画面の一例を示す図
【図３】遊技状態特定処理を示すフローチャート
【発明を実施するための形態】
【００１０】
以下、本発明の一実施形態について図面を参照して説明する。
図１はシステムの全体構成を概略的に示している。遊技場にはパチンコ遊技機（以下「遊技機」）１及び貸出装置２が設置されており、２台の遊技機１及び貸出装置２に対して中継装置３（大当たり状態判定手段、特定状態判定手段に相当）が設置されている。事務所には管理装置４（管理手段に相当）が設置されている。管理装置４は、ＬＡＮ５を介して中継装置３と接続されており、各種情報（稼動情報、設定情報等）の送受信を可能としている。
【００１１】
遊技機１は、通常状態、大当たり状態、確変状態、小当たり状態を呈するように次のように構成されている。即ち、電チュー６を備えた始動口７への玉の入賞に応じて抽選（抽選手段に相当）を行い、抽選処理の結果に応じて液晶表示部８に大当たり図柄を停止表示して大入賞口９を開放する大当たり状態を発生（大当たり状態発生手段に相当）し、大当たり状態の終了後に遊技者にとって有利な確変状態（第１特定状態に相当）を発生（第１特定状態発生手段に相当）することが可能である。大当たり状態である場合に第１信号を、大当たり状態である場合及び確変状態である場合並びに通常状態において所定の条件が満たされた場合である小当たり（第２特定状態に相当）が発生（第２特定状態発生手段に相当）した場合に第２信号を出力（信号出力手段に相当）する。
【００１２】
遊技機１のスペックは次の通りである。
・普図当選確率……通常状態：１／１００、時短状態と確変状態：９９／１００
・電チュー開放時間……通常状態：０．２秒、時短状態と確変状態：１．５秒×３回
・普図変動時間……通常状態：３０秒、時短状態と確変状態：１秒
・特図当選確率……通常状態と時短状態：１／３００、確変状態：１／４０
・通常大当たり：確変大当たり：突確大当たり：４５％：４５％：１０％
・大当たり中動作……１５ラウンド、各ラウンド１０個入賞可能、１入賞当たり１４個払出
・小当たり……１／１００
・通常状態又は確変状態において奇数のゾロ目で大当たりに当選すると、その大当たり終了後は確変状態となる。突確大当たり当選時は、ゾロ目でなくばらけた目であり、液晶表示部８では小当たり当選時と同一出目となるものの、７セグメントＬＥＤによって構成された特図表示では遊技者が当選したことに気づきにくいような複雑な表示となる。
・確変状態は大当たり状態終了後１００回又は通常大当たりの当選で終了する。
・突確大当たり状態と小当たり状態では大入賞口９が連続して１５回開放され、外見上同じ動作が行われる。これは、大入賞口９が連続して開放した時点で確変状態に突入したことが遊技者にばれないようにするためで、小当たりと突確大当たり状態とを外見上同じ動作となるようにしている。
【００１３】
遊技機１は中継装置３に向けて以下の信号を出力する。
・セーフ信号＝払出玉１０個に対して１パルス
・スタート信号＝図柄変動１回に対して１パルス
・第１信号＝大当たり状態中にレベル出力
・第２信号＝大当たり状態、確変状態、小当たり状態中にレベル出力
また、アウトボックスが使用玉１０個に対して１パルス出力する（アウト信号）。
【００１４】
管理装置４は、中継装置３から後述するように通知される状態フラグに基づいて遊技状態毎の遊技情報を管理すると共に、中継装置３が遊技機１の遊技状態を判定するための信号設定を通知する。
図２は管理装置４による信号検知設定画面の一例を示しており、「機種名」、「第１タイマ」、「第２タイマ」、「単独検知」の各項目が設定されており、それらの意味は次の通りである。
【００１５】
第１タイマ・・・第１信号の検知停止時に作動開始する。中継装置３は、このタイマの作動中、及び第１信号入力中を大当たり状態と判定する。
第２タイマ・・・第２信号の検知停止時に作動開始する。中継装置３は、このタイマの作動中、及び第１信号を入力していない状態下での第２信号の入力中を確変状態と判定する。
単独検知・・・「検知」か「除外」を選択。中継装置３は、検知の場合、無条件で第２信号の入力状態を確変状態として検知する。除外の場合、大当たり終了後に入力している第２信号の入力状態のみを確変状態として検知する。つまり、通常状態で入力する第２信号は確変状態として検知しないように除外する。
【００１６】
中継装置３は、上述のように管理装置４に設定された信号検知設定に基づいて通常状態、大当たり状態、確変状態を判定する。つまり、第１信号を入力している状態及び第１タイマ作動中を大当たり状態と判定する。大当たり状態が終了したと判定したときに第２信号を入力している場合に確変状態の開始を判定し、第２タイマの作動が停止したところで確変状態の終了を判定する。さらに、電源投入時に第２信号を入力している場合にも確変状態と判定する。逆に、それ以外の場合、すなわち通常状態で第２信号を入力した場合には確変状態と判定しない。
【００１７】
次に、上記構成の作用について説明する。
中継装置３は、電源が投入されると、遊技機１から第１信号を入力しているかを判定し、入力している場合は大当たり状態であると判定して状態フラグを１とする（前日の電源ＯＦＦ時の状態である１のまま維持する）。一方、第１信号を入力していない場合は、遊技機１から第２信号を入力しているかを判定し、入力している場合は確変状態であると判定して状態フラグを２とし（前日の電源ＯＦＦ時の状態である２のまま維持し）、入力していない場合は通常状態であると判定して状態フラグを０とし（前日の電源ＯＦＦ時の状態である０のまま維持し）てから、各遊技機１の遊技状態を特定するために遊技状態特定処理を実行する。このように電源投入時に遊技機１から第２信号を入力しているときに状態フラグを２とするのは、遊技機１は、確変状態が継続している状態で閉店を迎えた場合や電源が一時的に断たれた場合は、電源復帰後に第２信号を出力するように構成されていることから、電源投入時に第２信号が入力した場合は、確変状態と判定するようにしているからである。また、電源投入時は確変フラグを０とする。
【００１８】
図３は、中継装置３による遊技状態特定処理を示すフローチャートで、フローチャート中の状態フラグは、中継装置３が遊技機１の遊技状態を判定して管理装置４に通知するためのものである。通常状態は０、大当たり状態は１、確変状態は２である。また、確変フラグは確変状態と判定したことを示すフラグである。小当たり状態の状態フラグは、単独検知が除外の場合、小当たり状態は通常状態と判定されるので０であり、検知の場合、小当たり状態は確変状態と判定されるので２である。
【００１９】
中継装置３は、第１信号入力中か（Ｓ１）、状態フラグが１か（Ｓ４）、第２信号入力中か（Ｓ６）、状態フラグが２か（Ｓ１２）、第１タイマがタイムアップしたか（Ｓ１９）、第２タイマがタイムアップしたか（Ｓ２３）を判定している。
中継装置３は、遊技機１から第１信号及び第２信号が出力されていない通常状態における電源投入時は状態フラグを０とすることから、状態フラグが０であることを管理装置４に通知する。管理装置４は、状態フラグが０であることから通常状態であると判定し、遊技機１からの各遊技信号に基づいて通常状態における各遊技機１の遊技情報を管理する。
【００２０】
遊技機１で通常の大当たり状態（確変を伴わない大当たり状態という意味）が発生すると、第１信号が入力中となるので（Ｓ１：ＹＥＳ）、状態フラグを１とし（Ｓ２）、確変フラグを０としてから（Ｓ３）、管理装置４に通知する。管理装置４は、状態フラグが１であることから通常の大当たりであると判定し、通常の大当たり状態における各遊技機１の遊技情報を管理する。通常の大当たり状態が終了すると、第１信号の入力中が終了するので（Ｓ１：ＮＯ）、状態フラグが１かを判定する（Ｓ４）。この場合、状態フラグは１であるので（Ｓ４：ＹＥＳ）、大当たり状態が終了したとして第１タイマをスタートする（Ｓ５）。そして、第１タイマがタイムアップしたところで（Ｓ１９：ＹＥＳ）、確変フラグが１かを判定する（Ｓ２０）。この場合、確変フラグは０、つまり通常状態であるので（Ｓ２０：ＹＥＳ）、状態フラグを０とする（Ｓ２２）。これにより、通常の大当たり状態が終了してから所定期間が経過したところで状態フラグが０となるので、管理装置４は、通常状態における各遊技機１の遊技情報を管理するようになる。
【００２１】
大当たり状態が確変大当たり状態或いは突確大当たり状態であった場合は、大当たり状態中は第１信号を入力することから（Ｓ１：ＹＥＳ）、上述した場合と同様に状態フラグを１とする（Ｓ２）。確変大当たり状態或いは突確大当たり状態中は、第１信号に加えて第２信号も入力するので（Ｓ６：ＹＥＳ）、確変大当たり状態或いは突確大当たり状態が終了することにより第１信号の入力が終了した場合であっても第２信号の入力状態が継続する（Ｓ６：ＹＥＳ、Ｓ７：ＮＯ）。このタイミングで状態フラグが１であることを確認してから（Ｓ８：ＹＥＳ）、確変状態であると判定したことを示す確変フラグを１とする（Ｓ９）。
【００２２】
次に中継装置３は、入力した第２信号を図２に示した信号検知設定における単独検知に従って分類する処理を実行するが、その説明は後述する。尚、第２信号を分類する処理により状態フラグは処理内容によって変化する。
そして、第１タイマがタイムアップすると（Ｓ１９：ＹＥＳ）、確変フラグを１かを判定し（Ｓ２０）、確変フラグは１であることから（Ｓ２０：ＹＥＳ）、状態フラグを２とする（Ｓ２１）。
遊技機１の確変状態が終了して第２信号の入力中が終了すると（Ｓ６：ＮＯ）、状態フラグが２かを判定する（Ｓ１２）。この場合は状態フラグが２であり（Ｓ１２：ＹＥＳ）、さらに確変フラグが１であることから（Ｓ１３：ＹＥＳ）、第２タイマをスタートする（Ｓ１４）。そして、第２タイマがタイムアップしたところで（Ｓ２３：ＹＥＳ）、状態フラグを０とし（Ｓ２４）、確変フラグを０とする（Ｓ２５）。これにより、管理装置４は、中継装置３から通知される状態フラグが０となることに基づいて、通常状態における遊技情報を管理するようになる。
【００２３】
一方、遊技機１にて突確大当たり状態の発生を遊技者に知られることを防止するための小当たり状態が発生した場合は、第１信号が入力していない状態で第２信号が入力するものの（Ｓ６：ＹＥＳ、Ｓ７：ＮＯ）、この場合は状態フラグが０であることから（Ｓ８：ＮＯ）、確変フラグを１とすることはない。また、第２信号の入力が終了した場合に（Ｓ６：ＮＯ）、状態フラグが０であることから（Ｓ１２：ＮＯ）、第２タイマをスタートすることもない。
【００２４】
さて、上述のように第２信号のみを入力する場合としては、大当たり状態終了後の確変状態で入力する場合と、通常状態で発生した小当たり状態で入力する場合とがあり、中継装置３には、通常状態で入力する場合も確変状態と判定する「検知」と、通常状態で入力する場合を確変状態から除外する「除外」の機能が設定されている。つまり、「検知」では通常状態で発生した小当たりに応じて出力された第２信号も確変状態として判定するため、管理装置４が管理する通常状態及び確変状態における遊技情報に誤差を生じる。そこで、このような不具合を解消するために「除外」が設定可能となっており、「除外」を設定した場合は、通常状態で入力した第２信号を除外するようにしている。
【００２５】
具体的には、中継装置３は、第２信号のみを入力している場合において（Ｓ６：ＹＥＳ、Ｓ７：ＮＯ）、「検知」が設定されている場合は（Ｓ１０：ＹＥＳ）、確変フラグが１かを判定し（Ｓ１１）、確変フラグが０の場合は（Ｓ１１：ＮＯ）、通常状態での小当たりであると判定して、その小当りを確変状態として見なすために状態フラグを直ちに２とする（Ｓ１８）。そして、第２信号の入力が終了すると（Ｓ６：ＮＯ）、状態フラグは２であるものの（Ｓ１２：ＹＥＳ）、確変フラグは０であることから（Ｓ１３：ＮＯ）、状態フラグを０とする（Ｓ１５）。
【００２６】
一方、確変フラグが１の場合は（Ｓ１１：ＹＥＳ）、確変状態であると判定して第１タイマがタイムアップしたところで（Ｓ１９：ＹＥＳ）、確変フラグが１であることから確認してから（Ｓ２０：ＹＥＳ）、状態フラグを２に設定する（Ｓ２１）。つまり、「検知」は従来の設定方法に該当し、第２信号が通常状態に出力された場合であっても状態フラグを２とする。これにより、管理装置４は、中継装置３から通知される状態フラグが２となることに基づいて、第２信号のみが出力された全ての状態を確変状態として遊技情報を管理するようになる。
【００２７】
上述した「検知」に対して、第２信号のみの入力時に「除外」が設定されている場合は（Ｓ１０：ＮＯ）、確変フラグが１かを判定し（Ｓ１６）、上述したように確変状態であることに応じて確変フラグが１であった場合は（Ｓ１６：ＹＥＳ）、第２信号は確変状態で出力されたとして第１タイマがタイムアップしたところで（Ｓ１９：ＹＥＳ）、確変フラグが１であることから確認してから（Ｓ２０：ＹＥＳ）、状態フラグを２とする（Ｓ２１）。これにより、管理装置４は、中継装置３から通知された状態フラグが２となることに基づいて、確変状態における遊技情報を管理するようになる。一方、通常状態での小当たりであることに応じて確変フラグが０の場合は（Ｓ１６：ＮＯ）、第２信号は通常状態で出力されたと判定して状態フラグを直ちに０とする（Ｓ１７）。これにより、管理装置４は、中継装置３から通知された状態フラグが０を維持することに基づいて、通常状態における遊技情報を継続して管理するようになる。
【００２８】
以上の動作により、中継装置３は、「除外」が設定されている場合において第２信号のみが入力した場合は、通常状態で入力した第２信号を除外して状態フラグを２とするので、管理装置４は、中継装置３から通知される状態フラグが２となることに基づいて確変状態を判定することにより通常状態及び確変状態における遊技情報を精度良く管理することができる。
【００２９】
このような実施形態によれば、次のような効果を奏する。
中継装置３は、第１信号の入力開始に応じて大当たり状態の開始を判定し、第１信号の入力が終了した時点で第２信号を入力している場合に確変状態の開始であると判定して状態フラグを設定するので、中継装置３に「除外」を設定することで、管理装置４は、中継装置３から通知される状態フラグに基づいて遊技機１の遊技状態を通常状態と大当たり状態と特定状態に区分して遊技情報を精度よく管理することができる。
電源投入時に第２信号を入力している場合に確変状態であると判定するので、遊技機１において確変状態が継続している状態で閉店を迎えた場合や電源が一時的に断たれた場合であっても、電源復帰後に確変状態として継続して判定することができる。
【００３０】
（他の実施形態）
本発明は、上記実施形態に限定されることなく、次のように変形または拡張できる。
本実施形態では、中継装置が特定状態判定手段に相当し、遊技場用管理装置が管理手段に相当するが、両方の手段を中継装置が備えていても良いし、両方の手段を遊技場用管理装置が備えていても良い。
【符号の説明】
【００３１】
図面中、１はパチンコ遊技機（抽選手段、大当たり状態発生手段、第１特定状態発生手段、第２特定状態発生手段、信号出力手段）、３は中継装置（大当たり状態判定手段、特定状態判定手段）、４は管理装置（管理手段）、７は始動口である。
【図１】
0005587740.tif 000002
【図２】
0005587740.tif 000003
【図３】
0005587740.tif 000004